(57)【要約】【課題】  デマンドコントロールの際に必要とすると共に電力会社側と同期した時限信号の供給を可能にする信号供給構造を提供する。【解決手段】  開口１１Ａ1が空けられている収納部１１Ａと、開口１１Ａ1内に収納されている端子台１５とを備え、かつ、時限パルスを発生して端子台１５のＤ端子１５Ｍに加える電力量計１を用いた信号供給構造である。この構造は、端子台１５のＤ端子１５Ｍのイヤホンジャック１５Ｍ1、１５Ｍ2に対して電気的に接続されるステレオプラグ１７Ｂ、１７Ｃと、収納部１１Ａの開口１１Ａ1を覆う端子カバー１４とを備え、端子カバー１４は、ステレオプラグ１７Ｂ、１７Ｃが取り付けられている閉塞部１７を保持している。【選択図】  図１
2008157637.tif 000002
【特許請求の範囲】
【請求項１】
第１の開口が空けられている収納部と、前記第１の開口内に収納されている端子台とを備え、かつ、時限信号を発生して前記端子台の所定端子に加える電力量計を用いた信号供給構造であって、
前記所定端子に対して電気的に接続される接続手段と、
前記収納部の第１の開口を覆うと共に前記接続手段を保持する端子カバーと、
を備えることを特徴とする信号供給構造。
【請求項２】
前記端子カバーは前記所定端子と向かい合う位置に第２の開口を備え、
前記接続手段は、前記所定端子と電気的に接触する接触部と、この接触部を保持すると共に前記第２の開口を閉塞する閉塞部とを備えることを特徴とする請求項１に記載の信号供給構造。
【請求項３】
前記所定端子はイヤホンジャックであり、
前記接触部は前記イヤホンジャックに差し込まれて、このイヤホンジャックと電気的に接続されるプラグであることを特徴とする請求項２に記載の信号供給構造。
【請求項４】
前記閉塞部は、先端が前記プラグに電気的に接続されているケーブルを保持していることを特徴とする請求項３に記載の信号供給構造。
【発明の詳細な説明】
【技術分野】
【０００１】
この発明はデマンドコントロールに用いられる信号供給構造に関する。
【背景技術】
【０００２】
電力を使用する需要家による電力料金抑制のためにデマンドコントロールがある。デマンドコントロールは、需要家が消費する電力のピーク値を抑えて電気の基本使用料を下げ、電気料金を削減する。つまり、電力会社側では、需要家の使用電力を３０分単位で算出し、その最大値を電気の基本料金に反映するので、需要家側では、電力使用のピーク値を抑えれば、電気の基本使用料を下げることができる。
【０００３】
このために、需要家はデマンドコントロールを行うデマンドコントロール装置を設置し（例えば、特許文献１参照。）、このデマンドコントロール装置に対して目標とする最大電力値を設定する。そして、需要家による電力の使用電力が最大電力値を超えると、デマンドコントロール装置は例えば警報を出して、使用電力が最大電力値を超えたことを需要家に知らせる。
【特許文献１】特開平１０−１９７５６６号公報
【発明の開示】
【発明が解決しようとする課題】
【０００４】
ところで、デマンドコントロール装置は、デマンドコントロールを行うために、電力会社と同様に時刻の００分と３０分の３０分単位で使用電力を算出している。このために、デマンドコントロール装置は時限信号発生部を内部に備えている。時限信号発生部は、３０分の時限を計るために必要とする時限信号を、時刻の００分と３０分で発生する。例えば、時刻の１２時００分、１２時３０分で時限信号を発生し、次の１３時００分、１３時３０分で時限信号を発生するというように、時限信号発生部は時刻の００分と３０分で時限信号を発生する。しかし、時限信号発生部の時限信号を基にした３０分の時限が電力会社の時限と一致しないと、需要家側で算定した電力使用のピーク値が電力会社側で算定した値と異なり、電力の使用状況が一致しない場合がある。
【０００５】
この発明の目的は、前記の課題を解決し、デマンドコントロールの際に必要とすると共に電力会社側と同期した時限信号の供給を可能にする信号供給構造を提供することにある。
【課題を解決するための手段】
【０００６】
前記の課題を解決するために、請求項１の発明は、第１の開口が空けられている収納部と、前記第１の開口内に収納されている端子台とを備え、かつ、時限信号を発生して前記端子台の所定端子に加える電力量計を用いた信号供給構造であって、前記所定端子に対して電気的に接続される接続手段と、前記収納部の第１の開口を覆うと共に前記接続手段を保持する端子カバーとを備えることを特徴とする信号供給構造である。
【０００７】
請求項２の発明は、請求項１に記載の信号供給構造において、前記端子カバーは前記所定端子と向かい合う位置に第２の開口を備え、前記接続手段は、前記所定端子と電気的に接触する接触部と、この接触部を保持すると共に前記第２の開口を閉塞する閉塞部とを備えることを特徴とする。
【０００８】
請求項３の発明は、請求項２に記載の信号供給構造において、前記所定端子はイヤホンジャックであり、前記接触部は前記イヤホンジャックに差し込まれて、このイヤホンジャックと電気的に接続されるプラグであることを特徴とする。
【０００９】
請求項４の発明は、請求項３に記載の信号供給構造において、前記閉塞部は、先端が前記プラグに電気的に接続されているケーブルを保持していることを特徴とする。
【発明の効果】
【００１０】
請求項１の発明によれば、端子カバーを変更するだけで、電力量計から時限信号を出力することが可能になる。これにより、電力会社側と同期した時限信号を需要家のデマンドコントロール装置に供給することができ、需要家側で算定した電力使用のピーク値を電力会社側で算定した値に一致させることができる。
【００１１】
請求項２の発明によれば、所定端子と向かい合う位置に第２の開口を端子カバーに設け、この第２の開口に対して、所定端子と電気的に接触する接触部を保持する閉塞部を設けるという簡単な構成により、電力量計から時限信号を出力することが可能になる。
【００１２】
請求項３の発明によれば、所定端子がイヤホンジャックである場合には、閉塞部に設けられている接触部としてプラグを用いるので、接触部の構成を、汎用部品を用いた簡単なものとすることができる。
【００１３】
請求項４の発明によれば、時限信号をケーブルから取り出すことができるので、任意の場所での時限信号の供給を可能にする。
【発明を実施するための最良の形態】
【００１４】
次に、この発明の実施の形態について、図面を用いて詳しく説明する。この実施の形態による信号供給構造を図１に示す。図１の信号供給構造は、需要家に使用された電力の使用量を計測する電力量計１に設けられている。
【００１５】
電力量計１は基部１１を備えている。基部１１には、需要家が使用した電力の計量などをする計量部（図示を省略）が設けられている。この計量部は、電力の計量に加えて、検定などの際に使用される計量パルスと時限パルスとを生成する。計量パルスは一定の電力を計量する毎に生成され、時限パルスは時刻の００分および３０分毎に生成される。基部１１の前面には表示部１２が設けられている。表示部１２は計量部で計量された計量値などをＬＣＤ（液晶ディスプレイ）に表示する。表示部１２は、計量部のＬＣＤと向かい合う部分が透明である前面カバー１３で覆われている。前面カバー１３は表示部１２を外部環境から保護するものである。
【００１６】
基部１１の下部には、端子カバー１４で覆われた箱状の収納部１１Ａが形成されている。図２に示すように、収納部１１Ａには開口１１Ａ1が空けられ、開口１１Ａ1内には直方体形状の端子台１５が収納されている。なお、図２は図１の端子カバー１４を取り除いた様子を示している。端子台１５は、図３に示すように、直方体形状の台部１５1に、端子１５Ａ〜１５Ｈ、１５Ｊ〜１５Ｍと、取付け部１５Ｐとを備えている。台部１５1は絶縁体で作られたものである。端子１５Ａは１Ｓ端子、端子１５ＢはＰ１端子、端子１５ＣはＰ３端子である。端子１５Ｄは３Ｓ端子、端子１５Ｅは３Ｌ端子、端子１５ＦはＰ２端子である。端子１５Ｇは１Ｌ端子、端子１５ＨはＣ１端子、端子１５ＪはＣ２端子である。端子１５ＫはＤＴ端子、端子１５ＬはＳＧ端子、端子１５ＭはＤ端子である。Ｐ１端子１５ＢとＰ２端子１５ＦとＰ３端子１５Ｃとは、３相交流間に接続されているトランスに接続されて入力を計量部に送る。１Ｓ端子１５Ａと１Ｌ端子１５Ｇとは３相交流の１つの相に接続されているトランスに接続されて入力を計量部に送り、３Ｓ端子１５Ｄと３Ｌ端子１５Ｅとは３相交流の別の相に接続されているトランスに接続されて入力を計量部に送る。Ｃ１端子１５ＨとＣ２端子１５Ｊとは需要家用のパルス端子であり、ＤＴ端子１５ＫとＳＧ端子１５Ｌとは通信用の端子である。
【００１７】
端子台１５のＤ端子１５Ｍは、検定時に使用される試験用のパルス端子であり、イヤホンジャック１５Ｍ1、１５Ｍ2を備えている。イヤホンジャック１５Ｍ1は、図４に示すように、ステレオタイプのものであり、共通エミッタ側の端子１５Ｍ11と有効コレクタ側の端子１５Ｍ12との間に、有効電力を表す計量パルスを出力し、共通エミッタ側の端子１５Ｍ11と無効コレクタ側の端子１５Ｍ13との間に、遅れ無効電力を表す計量パルスを出力する。同じく、イヤホンジャック１５Ｍ2は、ステレオタイプのものであり、共通エミッタ側の端子１５Ｍ21と無効コレクタ側の端子１５Ｍ22との間に、進み無効電力を表す計量パルスを出力し、共通エミッタ側の端子１５Ｍ21と時限コレクタ側の端子１５Ｍ23との間に、時限パルスを出力する。Ｄ端子１５Ｍから出力される計量パルスおよび時限パルスは計量部で生成された信号である。
【００１８】
端子台１５の端子１５Ｍ21と端子１５Ｍ23との間から出力される時限パルスは、表示部１２の時限表示窓（図示を省略）に表示される時刻に同期し、時限表示窓の時刻が００分および３０分のタイミングに同期して出力される。つまり、使用電力を算出する時限つまり需要時限である３０分毎に、時限パルスが時限表示窓の時刻の００分および３０分のタイミングに同期して出力される。
【００１９】
端子台１５の取付け部１５Ｐは、取付け穴１５Ｐ1、１５Ｐ2を備えている。取付け穴１５Ｐ1にはネジが挿入されて、端子台１５が収納部１１Ａの底部に固定される。取付け穴１５Ｐ2には封印用ネジ１６（図１）が挿入される。封印用ネジ１６は端子カバー１４を収納部１１Ａの開口１１Ａ1に固定する。同時に、封印用ネジ１６に空けられた封印用穴１６Ａと、端子カバー１４に形成された突起部分１４Ａに空けられた封印用穴１４Ａ1とにより、端子カバー１４が封印される。
【００２０】
封印用の突起部分１４Ａを備える長方形状の端子カバー１４は、収納部１１Ａの開口１１Ａ1を覆い、端子台１５を外部環境から保護すると共に需要家による結線の変更を防ぐ。端子台１５のＤ端子１５Ｍと向かい合う部分には、図５に示すように、円形の開口１４Ｂと四角形の開口１４Ｃが空けられている。開口１４Ｂは封印用ネジ１６を通すためのものであり、開口１４Ｃには閉塞部１７が取り付けられている。閉塞部１７は、図６に示すように、絶縁性の弾性体、例えばシリコンゴムで作られた直方体形状の本体１７Ａを備えている。本体１７Ａの側面には、この側面を切り欠いて形成された切欠き部１７Ａ1が形成されている。切欠き部１７Ａ1は、図７に示すように、端子カバー１４の開口１４Ｃに入り込んで開口１４Ｃを塞ぐ。本体１７Ａの一方の側面には、端子カバー１４が収納部１１Ａに取り付けられたときに端子台１５のＤ端子１５Ｍのイヤホンジャック１５Ｍ1、１５Ｍ2と向かい合う位置に、ステレオプラグ１７Ｂ、１７Ｃが設けられ、本体１７Ａの他方の側面には、本体１７Ａと一体で形成されたシリコンゴム製のブッシュ１７Ａ2により固定された多芯のケーブル１８が設けられている。
【００２１】
ステレオプラグ１７Ｂは長い円柱状の接触体１７Ｂ1、短い円柱状の接触体１７Ｂ2、同じく短い円柱状の接触体１７Ｂ3を積み重ねた構造であり、導電体である接触体１７Ｂ1、１７Ｂ2、１７Ｂ3は絶縁体１７Ｂ11、１７Ｂ12を介在することにより互いに絶縁されている。同じように、ステレオプラグ１７Ｃは、長い円柱状の接触体１７Ｃ1、短い円柱状の接触体１７Ｃ2、同じく短い円柱状の接触体１７Ｃ3を積み重ねた構造であり、導電体である接触体１７Ｃ1、１７Ｃ2、１７Ｃ3は絶縁体１７Ｃ11、１７Ｃ12を介在することにより互いに絶縁されている。
【００２２】
本体１７Ａの他方の側面に設けられている多芯のケーブル１８の各芯は、ステレオプラグ１７Ｂの接触体１７Ｂ1、１７Ｂ2、１７Ｂ3および接触体１７Ｃ1、１７Ｃ2、１７Ｃ3にそれぞれ電気的に接続されている。
【００２３】
こうした構造の端子カバー１４は次のように用いられる。図８に示すように、端子カバー１４に設けられている閉塞部１７のステレオプラグ１７Ｂ、１７Ｃを、収納部１１Ａに取り付けられている端子台１５のイヤホンジャック１５Ｍ1、１５Ｍ2に差し込みながら、収納部１１Ａの開口１１Ａ1を端子カバー１４で塞ぐ。これにより、ステレオプラグ１７Ｂの接触体１７Ｂ1（図６）がイヤホンジャック１５Ｍ1の共通エミッタ側の端子１５Ｍ11（図４）と接続され、ステレオプラグ１７Ｂの接触体１７Ｂ2がイヤホンジャック１５Ｍ1の有効コレクタ側の端子１５Ｍ12と接続される。さらに、ステレオプラグ１７Ｂの接触体１７Ｂ3がイヤホンジャック１５Ｍ1の無効コレクタ側の端子１５Ｍ13と接続される。同じように、ステレオプラグ１７Ｃの接触体１７Ｃ1がイヤホンジャック１５Ｍ2の共通エミッタ側の端子１５Ｍ21と接続され、ステレオプラグ１７Ｃの接触体１７Ｃ2がイヤホンジャック１５Ｍ2の無効コレクタ側の端子１５Ｍ22と接続される。さらに、ステレオプラグ１７Ｃの接触体１７Ｃ3がイヤホンジャック１５Ｍ2の時限コレクタ側の端子１５Ｍ23と接続される。
【００２４】
これらの接続により、ケーブル１８は基部１１の計量部で生成される信号として、
遅れ無効電力を表す計量パルス、
進み無効電力を表す計量パルス、
時限パルス、
をそれぞれ出力する。
【００２５】
この後、封印用ネジ１６で端子カバー１４を収納部１１Ａに固定し、封印用ネジ１６と端子カバー１４の突起部分１４Ａとを利用して、線状の封印材により端子カバー１４を封印する。なお、封印された電力量計１からの時限パルスが不要である場合には、図９に示すように、ケーブル１８の無い閉塞部１９を用いて端子カバー１４の開口１４Ｃを塞ぐようにしてもよい。
【００２６】
こうして、この実施の形態による信号供給構造は、開口１１Ａ1が空けられている収納部１１Ａと、開口１１Ａ1内に収納されている端子台１５とを備え、かつ、時限パルスを発生して端子台１５のＤ端子１５Ｍに加える電力量計１を用いたものであり、端子台１５のＤ端子１５Ｍに対して電気的に接続されるステレオプラグ１７Ｂ、１７Ｃと、収納部１１Ａの開口１１Ａ1を覆うと共にステレオプラグ１７Ｂ、１７Ｃとが取り付けられている閉塞部１７を保持する端子カバー１４とを備える。こうした信号供給構造により、時限パルスを含む各種のパルスを電力量計１から出力することが可能になる。これにより、電力会社側と同期した時限パルスを需要家のデマンドコントロール装置に供給することができ、需要家側で算定した電力使用のピーク値を電力会社側で算定した値に一致させることができる。また、この実施の形態により、端子カバーを変更するだけで、電力会社側の時限パルスを需要家に供給することができ、また、端子カバー１４の構造も、閉塞部１７を保持するだけという、極めて簡単な構造で時限パルスの供給を可能にする。これにより、短時間での作業を可能にし、また、需要家の負担を軽減する。また、閉塞部１７により保持されているケーブル１８により時限パルスを出力するので、任意の場所に設置されたデマンドコントロール装置に時限パルスを供給することができる。
【００２７】
以上、この発明の実施の形態を詳述してきたが、具体的な構成はこの実施の形態に限られるものではなく、この発明の要旨を逸脱しない範囲の設計の変更等があっても、この発明に含まれる。例えば、端子台の端子配列は図３の端子台１５に限定されることはなく、別の端子配列の端子台に対して、この発明の適用が可能である。また、この実施の形態により電力量計１から取り出される時限パルスの利用はデマンドコントロール装置に限定されるものではない。
【図面の簡単な説明】
【００２８】
【図１】この発明の実施の形態による信号供給構造を電力量計に設けた様子を示す図であり、図１（ａ）は電力量計の正面を示す正面図であり、図１（ｂ）は電力量計の側面を示す側面図である。
【図２】図１の端子カバーを除いた様子を示す正面図である。
【図３】端子台を示す正面図である。
【図４】Ｄ端子を示す図である。
【図５】端子カバーを示す正面図である。
【図６】閉塞部を示す側面図である。
【図７】閉塞部を端子カバーに取り付けた様子を示す図である。
【図８】端子カバーを収納部に取り付ける様子を示す図である。
【図９】別の端子カバーを電力量計に取り付けた様子を示す正面図である。
【符号の説明】
【００２９】
１  電力量計
１１  基部
１１Ａ  収納部
１１Ａ1  開口（第１の開口）
１２  表示部
１３  前面カバー
１４  端子カバー
１４Ａ  突起部分
１４Ｂ  開口
１４Ｃ  開口（第２の開口）
１５  端子台
１５1  台部
１５Ａ〜１５Ｈ、１５Ｊ〜１５Ｌ  端子
１５Ｍ  端子（所定端子）
１５Ｍ1、１５Ｍ2  イヤホンジャック
１５Ｍ11〜１５Ｍ13、１５Ｍ21〜１５Ｍ23  端子
１５Ｐ  取付け部
１５Ｐ1、１５Ｐ2  取付け穴
１６  封印用ネジ
１６Ａ  封印用穴
１７  閉塞部
１７Ａ  本体
１７Ａ1  切欠き部
１７Ａ2  ブッシュ
１７Ｂ、１７Ｃ  ステレオプラグ
１８  ケーブル
【図１】
2008157637.tif 000003
【図２】
2008157637.tif 000004
【図３】
2008157637.tif 000005
【図４】
2008157637.tif 000006
【図５】
2008157637.tif 000007
【図６】
2008157637.tif 000008
【図７】
2008157637.tif 000009
【図８】
2008157637.tif 000010
【図９】
2008157637.tif 000011